【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
シリコーンヒドロゲル材料であって、
ｉ）少なくとも４５barrerの酸素透過度、
ii）約０．２×１０-6cm2／秒を超えるイオノトンイオン透過係数または約１．５×１０-6cm2／秒を超えるイオノフラックス拡散係数のいずれかによって特徴付けられるイオン透過率、および
iii）２２±６°Ｃまたはそれ以上の主ガラス転移温度、
を有し、かつ
（ａ）少なくとも１種のシリコーン含有ビニル系モノマーもしくはマクロマー、またはそれらの混合物、
（ｂ）少なくとも１種の親水性ビニル系モノマー、および
（ｃ）少なくとも１種の調合用ビニル系モノマーであって、重合性組成物の親水性および疎水性成分の両成分を溶解するのに充分な量のモノマー、
を含む無溶媒重合性組成物の共重合生成物である、シリコーンヒドロゲル材料。
【請求項２】
酸素透過度が少なくとも約７０barrerである、請求項１記載のシリコーンヒドロゲル材料。
【請求項３】
シリコーンヒドロゲル材料が、完全に水和したとき、約１８〜約５５重量％の含水率を有する、請求項１記載のシリコーンヒドロゲル材料。
【請求項４】
調合用ビニル系モノマーが、重合性組成物中に約５〜約３０重量％の量で存在する、請求項３記載のシリコーンヒドロゲル材料。
【請求項５】
調合用ビニル系モノマーが、芳香族ビニル系モノマー、シクロアルキル含有ビニル系モノマー、アクリル酸、Ｃ1−Ｃ10アルキルメタクリレート、メタクリロニトリル、アクリロニトリル、Ｃ1−Ｃ10アルキルアクリレート、Ｎ−イソプロピルアクリルアミド、２−ビニルピリジンおよび４−ビニルピリジンからなる群から選択されるＴｇ−増強ビニル系モノマーまたはこれらの混合物である、請求項３記載のシリコーンヒドロゲル材料。
【請求項６】
調合用ビニル系モノマーが、芳香族ビニル系モノマーである、請求項３記載のシリコーンヒドロゲル材料。
【請求項７】
芳香族ビニル系モノマーが、スチレン含有モノマーである、請求項６記載のシリコーンヒドロゲル材料。
【請求項８】
芳香族ビニルモノマーが、スチレン、２，４，６−トリメチルスチレン（ＴＭＳ）、ｔ−ブチルスチレン（ＴＢＳ）、２，３，４，５，６−ペンタフルオロスチレン、ベンジルメタクリレート、ジビニルベンゼン、または２−ビニルナフタレンである、請求項６記載のシリコーンヒドロゲル材料。
【請求項９】
調合用ビニル系モノマーが、３個までのＣ1−Ｃ6アルキル基で置換することができる、シクロペンチル、シクロヘキシルまたはシクロヘプチルを含むビニル系モノマーである、請求項３記載のシリコーンヒドロゲル材料。
【請求項１０】
調合用ビニル系モノマーが、イソボルニルメタクリレート、イソボルニルアクリレート、シクロヘキシルメタクリレート、シクロヘキシルアクリレート、またはこれらの混合物である、請求項９記載のシリコーンヒドロゲル材料。
【請求項１１】
無溶媒重合性組成物が、エチレン性不飽和基を有するシリコーン含有マクロマーを約０〜約４０重量％と、シロキサン含有ビニル系モノマーを約１０〜約３０重量％と、親水性ビニル系モノマーを約１５〜約５０重量％と、調合用ビニル系モノマーを約５〜約２０重量％と、を含む、請求項４記載のシリコーンヒドロゲル材料。
【請求項１２】
親水性ビニル系モノマーが、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレート塩酸塩、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）アクリルアミド、アクリル酸、メタクリル酸、またはこれらの混合物である、請求項１１記載のシリコーンヒドロゲル材料。
【請求項１３】
シリコン含有ビニル系モノマーが、メタクリルオキシアルキルシロキサン類、３−メタクリロキシプロピルペンタメチルジシロキサン、ビス（メタクリロキシプロピル）テトラメチルジシロキサン、モノメタクリレート化ポリジメチルシロキサン、モノアクリレート化ポリジメチルシロキサン、メルカプト末端ポリジメチルシロキサン、Ｎ−［トリス（トリメチルシロキシ）シリルプロピル］アクリルアミド、Ｎ−［トリス（トリメチルシロキシ）シリルプロピル］メタクリルアミド、トリストリメチルシリルオキシシリルプロピルメタクリレート（ＴＲＩＳ）、またはこれらの混合物である、請求項１１記載のシリコーンヒドロゲル材料。
【請求項１４】
シリコーンヒドロゲル材料であって、
（ａ）少なくとも１種の親水性モノマー、
（ｂ）少なくとも１種のシリコーン含有ビニル系モノマーもしくはマクロマー、またはこれらの混合物、および
（ｃ）シリコーンヒドロゲル材料に２２±６℃またはそれ以上の主ガラス転移温度を付与するのに充分な量の１種またはそれ以上の芳香族ビニル系モノマー、シクロアルキル含有ビニル系モノマーおよび／またはアクリル酸、Ｃ1−Ｃ10アルキルメタクリレート、メタクリロニトリル、アクリロニトリル、Ｃ1−Ｃ10アルキルアクリレート、Ｎ−イソプロピルアクリルアミド、２−ビニルピリジンおよび４−ビニルピリジンからなる群から選択されるＴｇ−増強ビニル系モノマー、
を含む重合性組成物の共重合生成物であり、かつ完全に水和されたとき、含水率が約１８〜５５重量％であり、酸素透過度が少なくとも４５barrerである、シリコーンヒドロゲル材料。
【請求項１５】
シリコーンヒドロゲル材料が、約０．２×１０-6cm2／秒を超えるイオノトンイオン透過係数または約１．５×１０-6cm2／分を超えるイオノフラックス拡散係数のいずれかで特徴付けられるイオン透過率を有する、請求項１４記載のシリコーンヒドロゲル材料。
【請求項１６】
（ｃ）成分が、少なくとも１種のスチレン含有モノマーを含む、請求項１５記載のシリコーンヒドロゲル材料。
【請求項１７】
（ｃ）成分が、スチレン、２，４，６−トリメチルスチレン（ＴＭＳ）、ｔ−ブチルスチレン（ＴＢＳ）、２，３，４，５，６−ペンタフルオロスチレン、ベンジルメタクリレート、ジビニルベンゼンおよび２−ビニルナフタレンからなる群から選択される少なくとも１種の化合物を含む、請求項１５記載のシリコーンヒドロゲル材料。
【請求項１８】
（ｃ）成分が、少なくとも１種のシクロアルキル含有ビニル系モノマーを含む、請求項１５記載のシリコーンヒドロゲル材料。
【請求項１９】
（ｃ）成分が、３個までのＣ1−Ｃ6アルキル基で置換することができるシクロペンチルを含むビニル系モノマー、３個までのＣ1−Ｃ6アルキル基で置換することができるシクロヘキシルを含むビニル系モノマー、および３個までのＣ1−Ｃ6アルキル基で置換することができるシクロヘプチルを含むビニル系モノマーからなる群から選択される少なくとも１種のモノマーを含む、請求項１８記載のシリコーンヒドロゲル材料。
【請求項２０】
（ｃ）成分が、約５〜約３０重量％の量で存在する、請求項１５記載のシリコーンヒドロゲル材料。
【請求項２１】
重合性組成物が、エチレン性不飽和基を有するシリコーン含有マクロマーを約０〜約４０重量％と、シロキサン含有ビニル系モノマーを約１０〜約３０重量％と、親水性ビニル系モノマーを約１５〜約５０重量％と、芳香族ビニル系モノマー、シクロアルキルメタクリレートまたはシクロアルキルアクリレートを約５〜約２０重量％と、を含む、請求項１５記載のシリコーンヒドロゲル材料。
【請求項２２】
親水性ビニル系モノマーが、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレート塩酸塩、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）アクリルアミド、アクリル酸、メタクリル酸、またはこれらの混合物である、請求項２１記載のシリコーンヒドロゲル材料。
【請求項２３】
シリコン含有ビニル系モノマーが、メタクリルオキシアルキルシロキサン類、３−メタクリロキシプロピルペンタメチルジシロキサン、ビス（メタクリロキシプロピル）テトラメチルジシロキサン、モノメタクリレート化ポリジメチルシロキサン、モノアクリレート化ポリジメチルシロキサン、メルカプト末端ポリジメチルシロキサン、Ｎ−［トリス（トリメチルシロキシ）シリルプロピル］アクリルアミド、Ｎ−［トリス（トリメチルシロキシ）シリルプロピル］メタクリルアミド、トリストリメチルシリルオキシシリルプロピルメタクリレート（ＴＲＩＳ）、またはこれらの混合物である、請求項２１記載のシリコーンヒドロゲル材料。
【請求項２４】
眼用装具であって、
（ａ）少なくとも１種のシリコーン含有ビニル系モノマーもしくはマクロマー、またはこれらの混合物、
（ｂ）少なくとも１種の親水性ビニル系モノマー、および
（ｃ）重合性組成物の親水性および疎水性成分の両成分を溶解するのに充分な量の、少なくとも１種の調合用ビニル系モノマー、
を含む無溶媒重合性組成物の共重合生成物である共重合体を有し；
主ガラス転移温度が２２±６℃またはそれ以上であり；かつ
酸素透過度が約４５barrerを超え、および完全に水和されたとき、含水率が約１８〜５５重量％である、眼用装具。
【請求項２５】
眼用装具が、コンタクトレンズである、請求項２４記載の眼用装具。
【請求項２６】
酸素透過度が、少なくとも約７０barrerである、請求項２５記載の眼用装具。
【請求項２７】
眼用装具が、約０．２×１０-6cm2／秒を超えるイオノトンイオン透過係数または約１．５×１０-6cm2／分を超えるイオノフラックス拡散係数のいずれかによって特徴付けられるイオン透過率を有する、請求項２５記載の眼用装具。
【請求項２８】
眼用装具の引張弾性率が約０．５〜約２．５MPaである、請求項２５記載の眼用装具。
【請求項２９】
少なくとも１種の調合用ビニル系モノマーが、芳香族ビニル系モノマー、シクロアルキル含有ビニル系モノマー、アクリル酸、Ｃ1−Ｃ10アルキルメタクリレート、メタクリロニトリル、アクリロニトリル、Ｃ1−Ｃ10アルキルアクリレート、Ｎ−イソプロピルアクリルアミド、２−ビニルピリジン、または４−ビニルピリジンであるＴｇ−増強ビニル系モノマー、またはこれらの混合物である、請求項２５記載の眼用装具。
【請求項３０】
調合用ビニル系モノマーが、芳香族ビニル系モノマーである、請求項２９記載の眼用装具。
【請求項３１】
芳香族ビニル系モノマーが、スチレン含有モノマーである、請求項３０記載のシリコーンヒドロゲル材料。
【請求項３２】
芳香族ビニルモノマーが、スチレン、２，４，６−トリメチルスチレン（ＴＭＳ）、ｔ−ブチルスチレン（ＴＢＳ）、２，３，４，５，６−ペンタフルオロスチレン、ベンジルメタクリレート、ジビニルベンゼン、または２−ビニルナフタレンである、請求項３０記載のシリコーンヒドロゲル材料。
【請求項３３】
調合用ビニル系モノマーが、３個までのＣ1−Ｃ6アルキル基で置換することができる、シクロペンチル、シクロヘキシルまたはシクロヘプチルを含むビニル系モノマーである、請求項２５記載のシリコーンヒドロゲル材料。
【請求項３４】
調合用ビニル系モノマーが、イソボルニルメタクリレート、イソボルニルアクリレート、シクロヘキシルメタクリレート、シクロヘキシルアクリレート、またはこれらの混合物である、請求項３３記載のシリコーンヒドロゲル材料。
【請求項３５】
無溶媒重合性組成物が、エチレン性不飽和基を有するシリコーン含有マクロマーを約０〜約４０重量％と、シロキサン含有ビニル系モノマーを約１０〜約３０重量％と、親水性ビニル系モノマーを約１５〜約５０重量％と、調合用ビニル系モノマーを約５〜約２０重量％と、を含む、請求項２５記載のシリコーンヒドロゲル材料。
【請求項３６】
親水性ビニル系モノマーが、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレート塩酸塩、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）アクリルアミド、アクリル酸、メタクリル酸、またはこれらの混合物である、請求項３５記載のシリコーンヒドロゲル材料。
【請求項３７】
シリコン含有ビニル系モノマーが、メタクリルオキシアルキルシロキサン類、３−メタクリロキシプロピルペンタメチルジシロキサン、ビス（メタクリロキシプロピル）テトラメチルジシロキサン、モノメタクリレート化ポリジメチルシロキサン、モノアクリレート化ポリジメチルシロキサン、メルカプト末端ポリジメチルシロキサン、Ｎ−［トリス（トリメチルシロキシ）シリルプロピル］アクリルアミド、Ｎ−［トリス（トリメチルシロキシ）シリルプロピル］メタクリルアミド、トリストリメチルシリルオキシシリルプロピルメタクリレート（ＴＲＩＳ）、またはこれらの混合物である、請求項２５記載のシリコーンヒドロゲル材料。
【請求項３８】
眼用装具が、表面改質方法を使用することによって、眼科的に相溶性のある表面を有する、請求項２５記載の眼用装具。
【請求項３９】
親水性表面が、プラズマまたはＬｂＬでコーティングされている、請求項３８記載の眼用装具。
【請求項４０】
（ａ）少なくとも１種の親水性モノマーと、
（ｂ）少なくとも１種のシリコーン含有ビニル系モノマーまたはマクロマーまたはこれらの混合物と、
（ｃ）共重合体に２２±６℃またはそれ以上の主ガラス転移温度を付与するのに充分な量の、１種またはそれ以上の芳香族ビニル系モノマー、シクロアルキル含有ビニル系モノマーおよび／またはアクリル酸、Ｃ1−Ｃ10アルキルメタクリレート、メタアクリロニトリル、アクリロニトリル、Ｃ1−Ｃ10アルキルアクリレート、Ｎ−イソプロピルアクリルアミド、２−ビニルピリジン、または４−ビニルピリジンであるＴｇ−増強ビニル系モノマーと、
を含む重合性組成物の共重合生成物である共重合体を有する眼用装具であって；
酸素透過度が、約４５barrerを超え；
イオン透過率が、約０．２×１０-6cm2／秒を超えるイオノトンイオン透過係数または約１．５×１０-6cm2／分を超えるイオノフラックス拡散係数のいずれかによって特徴付けられる、眼用装具。
【請求項４１】
眼用装具がコンタクトレンズである、請求項４０記載の眼用装具。
【請求項４２】
眼用装具が、完全に水和されたとき、約１８〜５５重量％の含水率を有する、請求項４１記載の眼用装具。
【請求項４３】
眼用装具が、約０．５〜２．５MPaの引張弾性率を有する、請求項４２記載の眼用装具。
【請求項４４】
眼用装具が、少なくとも約７０barrerの酸素透過度を有する、請求項４２記載の眼用装具。
【請求項４５】
（ｃ）成分が、少なくとも１種のスチレン含有モノマーを含む、請求項４２記載の眼用装具。
【請求項４６】
（ｃ）成分が、スチレン、２，４，６−トリメチルスチレン（ＴＭＳ）、ｔ−ブチルスチレン（ＴＢＳ）、２，３，４，５，６−ペンタフルオロスチレン、ベンジルメタクリレート、ジビニルベンゼンおよび２−ビニルナフタレンからなる群から選択される少なくとも１種を含む、請求項４２記載の眼用装具。
【請求項４７】
（ｃ）成分が、少なくとも１種のシクロアルキル含有ビニル系モノマーを含む、請求項４２記載の眼用装具。
【請求項４８】
（ｃ）成分が、３個までのＣ1−Ｃ6アルキル基で置換することができるシクロペンチルを含むビニル系モノマー、３個までのＣ1−Ｃ6アルキル基で置換することができるシクロヘキシルを含むビニル系モノマー、および３個までのＣ1−Ｃ6アルキル基で置換することができるシクロヘプチルを含むビニル系モノマーからなる群から選択される少なくとも１つのモノマーを含む、請求項４７記載の眼用装具。
【請求項４９】
（ｃ）成分が、約５〜約３０重量％の量で存在する、請求項４２記載の眼用装具。
【請求項５０】
重合性組成物が、エチレン性不飽和基を有するシリコーン含有マクロマーを約０〜約４０重量％と、シロキサン含有ビニル系モノマーを約１０〜約３０重量％と、親水性ビニル系モノマーを約１５〜約５０重量％と、芳香族ビニル系モノマー、シクロアルキルメタクリレートまたはシクロアルキルアクリレートを約５〜約２０重量％と、を含む、請求項４２記載の眼用装具。
【請求項５１】
親水性ビニル系モノマーが、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレート塩酸塩、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）アクリルアミド、アクリル酸、メタクリル酸、またはこれらの混合物である、請求項５０記載の眼用装具。
【請求項５２】
シリコン含有ビニル系モノマーが、メタクリルオキシアルキルシロキサン類、３−メタクリロキシプロピルペンタメチルジシロキサン、ビス（メタクリロキシプロピル）テトラメチルジシロキサン、モノメタクリレート化ポリジメチルシロキサン、モノアクリレート化ポリジメチルシロキサン、メルカプト末端ポリジメチルシロキサン、Ｎ−［トリス（トリメチルシロキシ）シリルプロピル］アクリルアミド、Ｎ−［トリス（トリメチルシロキシ）シリルプロピル］メタクリルアミド、トリストリメチルシリルオキシシリルプロピルメタクリレート（ＴＲＩＳ）、またはこれらの混合物である、請求項５０記載の眼用装具。
【請求項５３】
眼用装具が、表面改質方法を用いて得られた眼科的に相溶性のある表面を有する、請求項４２記載の眼用装具。